(57)【特許請求の範囲】
【請求項１】
食器類を収納する洗浄槽と、
該洗浄槽内に供給された洗浄水を吸引して加圧する洗浄ポンプと、
前記洗浄槽内に配設され、前記洗浄ポンプからの加圧に応じて水を噴射しながら回転し、洗浄槽内の食器類を洗浄する洗浄ノズルと、
前記洗浄ポンプを高速回転と低速回転で交互に繰り返し運転して、前記洗浄ノズルから噴射される洗浄水の噴射量を変化させ、高速回転時に使用される水量が所定量に達したときに低速回転に切り替える制御手段とを備え、
前記制御手段は、予め設定された前記洗浄ポンプの高速回転時の噴射水量及び洗浄水の回収率に基づいて高速回転時に使用される水量の上限使用水量を算出し、かつ、算出した上限使用水量より少ない前記所定量を算出することを特徴とする食器洗浄機。
【請求項２】
前記洗浄槽内の洗浄水の液面を検出する液面センサを備え、
前記制御手段は、高速回転時に使用される水量が前記所定量に達したか否かを前記液面センサの液面検出から判定することを特徴とする請求項１記載の食器洗浄機。
【請求項３】
前記制御手段は、前記洗浄ポンプの高速回転時に使用される水量が前記所定量に達するのに要する時間が予め設定され、前記洗浄ポンプを高速回転させてから前記時間を経過したときに低速回転に切り替えることを特徴とする請求項１記載の食器洗浄機。
【請求項４】
食器類を収納する洗浄槽と、
該洗浄槽内に洗浄水を供給する給湯ポンプと、
前記洗浄槽内に供給された洗浄水を吸引して加圧する洗浄ポンプと、
前記洗浄槽内に配設され、前記洗浄ポンプからの加圧に応じて水を噴射しながら回転し、洗浄槽内の食器類を洗浄する洗浄ノズルと、
前記洗浄ポンプを時間Ｔ１の間高速で回転させ、その後、該洗浄ポンプを時間Ｔ２の間低速で回転させ、これを交互に繰り返し切り替えて前記洗浄ノズルから噴射される洗浄水の噴射量を変化させる制御手段とを備え、
前記制御手段は、前記各時間及び予め得られた洗浄水の回収率とに基づいて洗浄工程とすすぎ工程でそれぞれ必要な総水量を算出し、該総水量を洗浄工程とすすぎ工程の各工程において前記洗浄槽内に供給させることを特徴とする食器洗浄機。
【請求項５】
食器類を収納する洗浄槽と、
該洗浄槽内に洗浄水を供給する給湯ポンプと、
前記洗浄槽内に供給された洗浄水を吸引して加圧する洗浄ポンプと、
前記洗浄槽内に配設され、前記洗浄ポンプからの加圧に応じて水を噴射しながら回転し、洗浄槽内の食器類を洗浄する洗浄ノズルと、
洗浄槽内の洗浄水の液面を検出する液面センサと、
前記洗浄ポンプを高速回転と低速回転で交互に繰り返し運転して、前記洗浄ノズルから噴射される洗浄水の噴射量を変化させ、高速回転時に使用される水量が所定量に達したときに低速回転に切り替える制御手段とを備え、
前記制御手段は、洗浄工程に入る前に前記洗浄ポンプを高速で回転させて、該洗浄ポンプを回転させる前からの洗浄槽内の低下水位を前記液面センサで測定し、その低下水位に基づいて高速回転時に使用される水量の上限使用水量を算出し、かつ、算出した上限使用水量より少ない前記所定量を算出することを特徴とする食器洗浄機。
【請求項６】
前記制御手段は、洗浄工程に入る前に前記洗浄ポンプを回転させて前記洗浄ノズルから洗浄水を噴射させ、該洗浄ポンプを停止させたときの前記洗浄槽内の残りの水量に基づいて洗浄水の回収率を算出することを特徴とする請求項１乃至４の何れかに記載の食器洗浄機。
【発明の詳細な説明】
【技術分野】
【０００１】
本発明は、家庭用もしくは業務用として皿などの食器や調理具を自動的に洗浄する食器洗浄機に関するものである。
【背景技術】
【０００２】
従来の食器洗浄機として、ノズルから洗浄水を間欠的に噴射するものがある。間欠的に噴射される洗浄水は、食器に当たったときに衝撃力となり、食器に付着した汚れを容易に落とすことを可能にしている。（例えば、特許文献１参照）。
【０００３】
【特許文献１】特開２００２−１７６４６号公報（第１頁、図１）
【発明の開示】
【発明が解決しようとする課題】
【０００４】
従来の食器洗浄機は、ノズルから間欠的に洗浄水を噴射するため、一様に洗浄水を噴射する場合と比べて、食器に付着した汚れに対し洗浄水が大きな衝撃力を発揮して洗浄力を向上させるものであるが、ノズルから噴射される洗浄水の量が多く、このため、洗浄ポンプがエア噛みを起こさないように大量の洗浄水を用意しなければならず、水道代などランニングコストが余計に掛かってしまうという課題があった。また、洗浄ポンプがエア噛みを起こすようなことがあった場合には、洗浄力が低下する上に、騒音が増加し、耐久性が低下するという課題があった。
【０００５】
本発明は、前記のような課題を解決するためになされたもので、洗浄水の量が少なくても、洗浄ポンプにエア噛みがなく、高い洗浄力で食器を洗浄できる食器洗浄機を提供することを目的とする。
【課題を解決するための手段】
【０００６】
本発明に係る食器洗浄機は、食器類を収納する洗浄槽と、洗浄槽内に供給された洗浄水を吸引して加圧する洗浄ポンプと、洗浄槽内に配設され、洗浄ポンプからの加圧に応じて水を噴射しながら回転し、洗浄槽内の食器類を洗浄する洗浄ノズルと、洗浄ポンプを高速回転と低速回転で交互に繰り返し運転して、洗浄ノズルから噴射される洗浄水の噴射量を変化させ、高速回転時に使用される水量が所定量に達したときに低速回転に切り替える制御手段とを備え、制御手段は、予め設定された洗浄ポンプの高速回転時の噴射水量及び洗浄水の回収率に基づいて高速回転時に使用される水量の上限使用水量を算出し、かつ、算出した上限使用水量より少ない所定量を算出する。
【発明の効果】
【０００７】
本発明においては、洗浄ポンプの高速回転時に使用される水量が所定量に達したときに低速回転に切り替えるようにしている。その所定量を洗浄ポンプの高速回転時に使用される水量の上限使用水量より少なくしていることから、高速回転時の洗浄ポンプがエア噛みを起こすことなく、洗浄水を節水しながら、食器を高い洗浄力で洗浄することができる。
【発明を実施するための最良の形態】
【０００８】
実施の形態１．
図１は本発明の実施の形態１に係る食器洗浄機を示す概略構成図、図２は高速回転時と低速回転時に洗浄に使用される水量の説明図、図３は洗浄ポンプの回転数と洗浄に使用される水量の相関を示す図、図４は洗浄ポンプの回転数の変化を示す図である。
食器洗浄機本体１に備えられたタンク２は、外部から水を引き込むための注水口３と排水口６とをそれぞれ有し、注水口３を通じて供水される水４の水位を検出する水位センサ５と貯水された水４を加熱するためのヒータ６とが配置されている。水位センサ５は、洗浄工程とすすぎ工程の各工程で必要な水量を検出するためのものである。タンク２の上方に設けられた洗浄槽７は、洗浄対象の食器を載せるための下かご８と上かご９が着脱可能に配置され、側面側には洗浄槽７内に供給された洗浄水（すすぎ水）の液面変化を検出するための反射型液面センサ１０が取り付けられている。洗浄槽７内に給湯口１２が設けられた管路上に給湯ポンプ１１が設置されている。この給湯ポンプ１１は、洗浄工程とすすぎ工程の各工程において制御部２０により駆動制御され、前記のヒータ２０は、制御部２０の通電制御により、タンク２内の水４が例えば６０℃になるように加熱する。ヒータ２への通電制御は、すすぎが終了するまで行われている。
【０００９】
洗浄ポンプ１３は、ケーシング部１３ａ（羽根内蔵）とモータ１３ｂとからなり、洗浄槽７内に供給された洗浄水（すすぎ水）を吸引して加圧し、洗浄ノズル１４へ吐出する。この洗浄ノズル１４は、洗浄ポンプ１３のケーシング部１３ａ側に回動自在に取り付けられ、洗浄ポンプ１３からの水量に応じて複数の噴射口１４ａから洗浄水（すすぎ水）を噴射しながら一方向に回転する。この回転は、複数の噴射口１４ａから噴射される洗浄水の噴射力の反力による。洗浄槽７の底部側に洗浄槽７内の汚水を排水口１６から排水する排水ポンプ１５が設置されている。洗浄槽７と洗浄ポンプ１３とを連結する管路の上流側にフィルタ１７が着脱可能に取り付けられている。このフィルタ１７により、洗浄時に食器から落ちた残菜が収集される。排水ポンプ１５は、食器の洗浄とすすぎが終了する毎に、制御部２０によって駆動制御され、前述した洗浄ポンプ１３は、洗浄工程およびすすぎ工程の各工程において、制御部２０により駆動制御される。
【００１０】
ここで、制御部２０による洗浄ポンプ１３の駆動制御について説明する。まず、図２を用いて洗浄ポンプ１３の回転数と洗浄（すすぎ）に使用される水量との関係を説明する。洗浄ポンプ１３を高速回転数Ａ１で回転させた場合、洗浄（すすぎ）で使用される水量、即ち、洗浄ノズル１４から噴射された洗浄水（すすぎ水）が洗浄槽７の底部に回収されていない水量（使用水量）が時間の経過と共に増えて第１の使用水量Ｌ１に近づき、この状態から低速回転数Ａ２に切り替えた場合は、使用水量が徐々に減少して第２の使用水量Ｌ２に近づいていく。このように、使用水量は、高速回転時に多くなり、低速回転時に減少する。第１の使用水量Ｌ１は、高速回転時の使用水量の上限値であり、第２の使用水量Ｌ２は、低速回転時の使用水量の上限値であり、これらは、予め測定して得られた使用水量である。
【００１１】
実施の形態１においては、洗浄ポンプ１３の高速回転時の洗浄水（すすぎ水）の使用水量（洗浄槽７の底部に回収されていない水量）が少なくなるようにしている。例えば図３に示すように、洗浄ポンプ１３を高速回転数Ａ１で回転させたときの使用水量が第１の使用水量Ｌ１（上限使用水量）よりも少ない所定量Ｌに達したとき、洗浄ポンプ１３の回転数を高速回転数Ａ１から低速回転数Ａ２に切り替える。低速回転時の使用水量が所定量Ｌから例えば一定量まで減少したときに、再び高速回転数Ａ１に切り替え、これを繰り返し行う。この場合、図４に示すように、洗浄ポンプ１３の回転数がパルス状に変化する。使用水量が所定量Ｌに達したか否かの判定、また、使用水量が所定量Ｌから一定量まで減少したか否かの判定は、洗浄槽７内に設けられた反射型液面センサ１０の液面検出に基づいて行っている。
【００１２】
次に、前記のように構成された食器洗浄機の動作を図１、図３及び図４を参照しながら説明する。
タンク２に設置された水位センサ５が水４を検出すると、制御部２０は、水位センサ５の高さまで水４が給水されたと判断して、給水を停止させる旨を例えば音で報知し、洗浄工程に入る。まず、ヒータ５に通電してタンク２内の水４を加熱し、その水温が例えば６０℃まで上昇したときに給湯ポンプ１１を駆動し、タンク２内の温水４を洗浄槽７内に給湯する。この時、予め定められた洗浄に必要な総水量が供給されたか否かを反射型液面センサ１０を通して判定し、また、タンク２の水温が６０℃に保たれるようにヒータ５への通電を制御する。なお、ヒータ５への通電制御は、前述したようにすすぎが終了するまで行われている。
【００１３】
制御部２０は、反射型液面センサ１０を通して、洗浄に必要な総水量が洗浄槽７内に供給されたことを検知すると、給湯ポンプ１１の駆動を停止し、次いで、洗浄ポンプ１３を高速回転数Ａ１で回転させ、洗浄ノズル１４から洗浄水を噴射させる。この時、洗浄槽７の底部に回収されていない使用水量が所定量Ｌに達したか否かを反射型液面センサ１０の液面検出に基づいて判定する。図３に示すように使用水量が所定量Ｌに達したときは、洗浄ポンプ１３の回転数を高速回転数Ａ１から低速回転数Ａ２に切り替え、高速回転時の噴射量より少ない洗浄水を洗浄ノズル１４から噴射させる。この時、使用水量が所定量Ｌから一定量まで減少したか否かを反射型液面センサ１０の液面検出に基づいて判定し、同図３に示すように使用水量が一定量まで減少したときは、洗浄ポンプ１３の回転数を再び高速回転数Ａ１に切り替え、前述した動作を繰り返す。この場合、前述したように洗浄ポンプ１３の回転数がパルス的に変化する（図４参照）。
【００１４】
一方、洗浄ノズル１４は、洗浄ポンプ１３が高速回転数Ａ１で回転しているとき、上かご９の食器に洗浄水を当てながら回転し、洗浄ポンプ１３が低速回転数Ａ２で回転しているときは、下かご８の食器に洗浄水を当てながら回転する。この場合、洗浄ポンプ１３が高速回転数Ａ１と低速回転数Ａ２を一周期として回転したとき、洗浄ノズル１４が一回転しないので、洗浄ノズル１４から噴射される洗浄水の噴射タイミングがずれていく。
【００１５】
食器の洗浄時間が経過すると、洗浄ポンプ１３の駆動を停止し、次いで、排水ポンプ１５を駆動して、洗浄槽７内の汚水を排水口１６から外部へ排水させ、洗浄工程を終了する。その後、再び給湯ポンプ１１を駆動してすすぎ工程に入る。なお、すすぎ工程における給湯ポンプ１１の駆動制御、洗浄ポンプ１３の駆動制御、及び排水ポンプ１５の駆動制御については、前述した洗浄工程とほぼ同じであるため、動作説明を割愛する。
【００１６】
以上のように実施の形態１によれば、洗浄工程とすすぎ工程の各工程において、洗浄ポンプ１３を高速回転数Ａ１で回転させ、この時の洗浄水（すすぎ水）の使用水量が第１の使用水量Ｌ１より少ない所定量Ｌに達したとき、洗浄ポンプ１３の回転数を高速回転数Ａ１から低速回転数Ａ２に切り替え、低速回転時の洗浄水（すすぎ水）の使用水量が所定量Ｌから一定量まで減少したときは、洗浄ポンプ１３の回転数を低速回転数Ａ２から高速回転数Ａ１に切り替えて、これを繰り返すようにしたので、洗浄水（すすぎ水）を節水しながら、食器を高い洗浄力で洗浄することができる。
【００１７】
なお、前記の実施の形態１では、洗浄ポンプ１３の高速回転時の使用水量が所定量Ｌに達したときに、回転数を高速回転数Ａ１から低速回転数Ａ２に切り替え、低速回転時の使用水量が所定量Ｌから一定量まで減少したときに、回転数を低速回転数Ａ２から高速回転数Ａ１に切り替えるようにしたが、洗浄ポンプ１３の高速回転時の使用水量が所定量Ｌに達したときの時間を予め測定しておき、また、低速回転時の使用水量が所定量Ｌから一定量まで減少したときの時間を予め測定しておき、これら時間を基に洗浄ポンプ１３の回転数Ａ１、Ａ２の切り替えを行うようにしても良い。
【００１８】
例えば、図５に示すように、洗浄ポンプ１３を高速回転数Ａ１で回転させ、高速回転を開始してから時間Ｔ１を経過したとき、高速回転時の使用水量が所定量Ｌに達したと判断して、回転数を低速回転数Ａ２に切り替え、低速回転に切り替えてから時間Ｔ２を経過したときは、低速回転時の使用水量が所定量Ｌから一定量まで減少したと判断して、再び高速回転数Ａ１に切り替え、時間Ｔ１、Ｔ２を一周期として繰り返し行う。なお、高速回転時の時間Ｔ１は、低速回転時の時間Ｔ２よりも短くなっている。この場合も、前記と同様に洗浄水（すすぎ水）を節水しながら、食器を高い洗浄力で洗浄することができる。
【００１９】
また、実施の形態１では、洗浄ポンプ１３を高速回転数Ａ１で回転させ、その後、回転数を低速回転数Ａ２に切り替えて、これを繰り返すようにしたが、まず、低速回転数Ａ２で洗浄ポンプ１３を回転させ、その後、回転数を低速回転数Ａ２から高速回転数Ａ１に切り替えて、これを繰り返し行うようにしても良い。
【００２０】
実施の形態２．
実施の形態１では、洗浄ポンプ１３の高速回転時の使用水量の上限である第１の使用水量Ｌ１、低速回転時の使用水量の上限である第２の使用水量Ｌ２、及び所定量Ｌについては、予め測定された値を用いるようにしたが、実施の形態２は、予め定められた高速回転数と低速回転数とから自動的に第１及び第２の使用水量Ｌ１、Ｌ２を算出し、この得られたＬ１とＬ２に基づいて所定量Ｌを求めるようにしたものであり、以下、実施の形態２の食器洗浄機について、具体的に説明をする。なお、本実施の形態２は、制御部２０を除いて実施の形態１とほぼ同じであるため、図１を用いて説明をする。
【００２１】
実施の形態２の食器洗浄機本体１には、例えば、食器の汚れ度合いに応じて標準洗浄、或いは強力洗浄の何れか一方を選択させるためのスイッチ（図示せず）が設けられている。前記の制御部２０は、標準洗浄に対応して洗浄ポンプ１３の回転数Ａ１、Ａ２が、強力洗浄に対応して回転数Ａ１１、Ａ２１がデータとして設定されている。Ａ１とＡ２１は高速回転数で、Ａ１＜Ａ２１の関係になっている。また、Ａ２とＡ２１は低速回転数で、Ａ２＜Ａ２１の関係になっている。標準洗浄、或いは強力洗浄の何れか一方が選択されたときは、下記に示す式を用いて、それぞれ第１の使用水量Ｌ１（上限使用水量）と第２の使用水量Ｌ２を算出する。
L1 = W1/μ  …(1)
L2 = W2/μ  …(2)
【００２２】
式(1) 中のW1は、洗浄ポンプ１３を高速回転させたときの洗浄ノズル１４から噴射される単位時間当たりの噴射水量で、高速回転数Ａ１のときの噴射水量と高速回転数Ａ１１のときの噴射水量とがある。式(2) 中のW2は、洗浄ポンプ１３を低速回転させたときの洗浄ノズル１４から噴射される単位時間当たりの噴射水量で、低速回転数Ａ２のときの噴射水量と低速回転数Ａ２１のときの噴射水量とがある。これら噴射水量は、予め実験によって測定されたもので、データとして制御部２０に設定されている。また、μは、噴射された洗浄水が単位時間当たりに洗浄槽７の底部に回収される割合を示す回収率で、前記と同様にデータとして制御部２０に設定されている。
【００２３】
また、制御部２０は、前記式から得た第１の使用水量Ｌ１と第２の使用水量Ｌ２の中間値を算出する。この中間値は、洗浄ポンプ１３を高速回転から低速回転に切り替えるときの所定量Ｌである。低速回転Ａ２１から高速回転Ａ１１に切り替えるときの一定量は、実施の形態１と同じ値である。なお、前記式によって得られた第１の使用水量Ｌ１は、高速回転数Ａ１ときよりもＡ１１の方が多くなり、第２の使用水量Ｌ２は、低速回転数Ａ２のときよりもＡ２１の方が多くなっている。
【００２４】
実施の形態２においては、標準洗浄、或いは強力洗浄の何れかをスイッチで選択すると、制御部２０は、洗浄工程に入ってタンク２内の温水（６０℃）４を給湯ポンプ１１を介して洗浄槽７内に供給し、スイッチの選択に基づいて第１及び第２の使用水量Ｌ１、Ｌ２の算出に入る。その選択が強力洗浄のときは、高速回転数Ａ１１のときの噴射水量Ｗ１と回収率μを式(1) に当てはめて第１の使用水量Ｌ１を算出し、次いで、低速回転数Ａ２１のときの噴射水量Ｗ２と回収率μを式(2) に当てはめて第２の使用水量Ｌ２を算出し、これら演算によって得られたＬ１とＬ２に基づいて所定量Ｌを求める。
【００２５】
そして、洗浄ポンプ１３を高速回転数Ａ１１で回転させ、この時の使用水量が演算した所定量Ｌに達したときに、洗浄ポンプ１３の回転数を高速回転数Ａ１１から低速回転数Ａ２１に切り替え、低速回転時の使用水量が所定量Ｌから一定量まで減少したときは、洗浄ポンプ１３の回転数を低速回転数Ａ２１から高速回転数Ａ１１に切り替え、これを繰り返し行う。この場合、洗浄ノズル１４から噴射される高速回転時と低速回転時の噴射量は、前述したように洗浄ポンプ１３を回転数Ａ１、Ａ２で回転させたときよりも多くなっている。つまり、回転数Ａ１、Ａ２のときよりも強い噴射力で食器を洗浄することになる。
【００２６】
なお、すすぎ工程における洗浄ポンプ１３の制御は、前述した洗浄工程のときと同じように、洗浄ポンプ１３を高速回転数Ａ１１で回転させ、この時の使用水量が演算した所定量Ｌに達したときに、洗浄ポンプ１３の回転数を高速回転数Ａ１１から低速回転数Ａ２１に切り替え、低速回転時の使用水量が所定量Ｌから一定量まで減少したときは、洗浄ポンプ１３の回転数を低速回転数Ａ２１から高速回転数Ａ１１に切り替え、これを繰り返し行う。
【００２７】
以上のように実施の形態２においては、選択された洗浄ポンプ１３の回転数（高速と低速）から自動的に第１及び第２の使用水量Ｌ１、Ｌ２を算出し、得られたＬ１とＬ２を用いて洗浄ポンプ１３を高速回転から低速回転に切り替えるための所定量Ｌを算出できるようにしたので、洗浄ポンプ１３を様々な高速回転と低速回転で回転させることが可能になり、このため、食器に付着した頑固な汚れや、多量の油などを容易に洗浄することが可能になり、洗浄力が向上するという効果がある。
【００２８】
なお、前記の実施の形態２では、洗浄工程とすすぎ工程での洗浄ポンプ１３の制御を同じようにしたが、洗浄工程とすすぎ工程で異なる回転数で回転させるようにしても良い。
【００２９】
実施の形態３．
実施の形態３は、予め洗浄ポンプ１３の高速回転時の時間と低速回転時の時間が決められていたときに、洗浄工程とすすぎ工程でそれぞれ必要な総水量を、洗浄ポンプ１３がエア噛みを起こさない範囲で、できるだけ少なくなるように設定したものであり、以下、本実施の形態３の食器洗浄機について説明をする。なお、本実施の形態３は、制御部２０を除いて実施の形態１とほぼ同じであるため、図１を用いて説明をする。
【００３０】
実施の形態３における制御部２０には、洗浄ポンプ１３を高速回転数Ａ１で回転させる時間Ｔ１と低速回転数Ａ２で回転させる時間Ｔ２が設定され、また、洗浄工程とすすぎ工程でそれぞれ必要な総水量Ｓを算出するための式(3)が設定されている。
S = Xm + W1/μ - (exp{μT2} - 1)(W1 - W2)/μ(exp{μ(T1 + T1)} - 1)    …(3)
式中のXmは、洗浄ポンプ１３を回転させたとき、洗浄ポンプ１３がエア噛みを起こさないぎりぎりの水量で、予め実験によって得られた値である。S は、時間Ｔ１の間、高速回転数Ａ１で、時間Ｔ２の間、低速回転数Ａ２で交互に切り替えて回転させたときに必要な最小限の洗浄槽７内の総水量である。W1は、洗浄ポンプ１３を高速回転数Ａ１で回転させたときの洗浄ノズル１４から噴射される単位時間当たりの噴射水量、W2は、洗浄ポンプ１３を低速回転数Ａ２で回転させたときの洗浄ノズル１４から噴射される単位時間当たりの噴射水量、また、μは、噴射された洗浄水が単位時間当たりに洗浄槽７の底部に回収される割合を示す回収率である。
【００３１】
次に、動作を図５を用いて説明する。なお、図５は実施の形態３における洗浄ポンプの回転数の変化を示す図である。
制御部２０は、洗浄工程とすすぎ工程の各工程に入る度に前記の式を用いて、洗浄槽７に供給する最小限の総水量Ｓを算出する。そして、給湯ポンプ１１を駆動し、反射型液面センサ１０の液面検出に基づいて総水量Ｓに達したか否かを判定する。洗浄槽７内の洗浄水が総水量Ｓに達したときは、給湯ポンプ１１の駆動を停止して、洗浄ポンプ１３を駆動する。図５に示すように、時間Ｔ１の間、高速回転数Ａ１で回転させ、その後、時間Ｔ２の間、低速回転数Ａ２で回転させ、これを周期Ｔとして繰り返し行う。
【００３２】
以上のように実施の形態３によれば、高速回転時の時間Ｔ１と低速回転時の時間Ｔ２とが与えられたときに、洗浄ポンプ１３にエア噛みが生じない必要最小限の水量（総水量Ｓ）で食器を洗浄したり、すすぎしたるすることができるので、節水効果がある。
【００３３】
実施の形態４．
実施の形態１乃至３では、洗浄ポンプ１３の高速回転時の使用水量の上限である第１の使用水量Ｌ１と低速回転時の使用水量の上限である第２の使用水量Ｌ２は、洗浄ポンプ１３の回転数が決まると固定されていたが、実施の形態３は、下かご８と上かご９に載置された食器の種類や数によって洗浄槽７の底部に回収される水量に応じて、第１及び第２の使用水量Ｌ１、Ｌ２と所定量Ｌとを変更するようにしたものである。この機能は、予備洗浄として、洗浄工程の前に実行されるようになっており、以下、実施の形態４の食器洗浄機について説明をする。なお、実施の形態４は、制御部２０を除いて実施の形態１とほぼ同じであるため、図１を用いて説明する。
【００３４】
実施の形態４における制御部２０は、例えば、食器洗浄の開始スイッチ（図示せず）のオン操作を検知した後に、予備洗浄を促すスイッチのオン操作を検知したとき、第１及び第２の使用水量Ｌ１、Ｌ２と所定量Ｌとを得るための動作に入る。タンク２内に水４が供給されると、給湯ポンプ１１を駆動してタンク２内の水４を洗浄槽７内に供給し、反射型液面センサ１０の液面検出を通して、洗浄槽７内の水４が予備洗浄に必要な水量に達したか否かを判定する。予備洗浄に必要な水量に達したときは、給湯ポンプ１１の駆動を停止し、次いで、洗浄ポンプ１３を高速回転数Ａ１で回転させる。この時、洗浄ノズル１４から噴射されることによって低下する洗浄槽７内の水位（洗浄水）を反射型液面センサ１０を通して検知し、この水位低下が定常状態になったときは、その時の水位を洗浄ポンプ１３を駆動する前の水位から減算して水位差を求め、かつ、その水位差と予め設定された洗浄槽７の断面積Ａとの積から回収されていない水量を算出し、これを第１の使用水量Ｌ１（上限使用水量）とする。
【００３５】
次に、洗浄ポンプ１３を高速回転数Ａ１から低速回転数Ａ２に切り替えて、前記と同様に、洗浄槽７内の水位低下を反射型液面センサ１０を通して検知し、この水位低下が定常状態になったときは、その時の水位を洗浄ポンプ１３を駆動する前の水位から減算して水位差を求め、かつ、その水位差と洗浄槽７の断面積Ａとの積から回収されていない水量を算出し、これを第２の使用水量Ｌ２とする。また、得られた第１及び第２の使用水量Ｌ１、Ｌ２から中間値を算出し、これを所定量Ｌとして設定する。なお、低速回転Ａ２１から高速回転Ａ１１に切り替えるときの一定量は、実施の形態１と同じ値である。
【００３６】
下かご８と上かご９に載置された食器の種類や数に応じた第１及び第２の使用水量Ｌ１、Ｌ２と所定量Ｌの算出が終了すると、排水ポンプ１５を駆動して洗浄槽７内の汚水を排水させ、洗浄工程に入る。洗浄工程における洗浄ポンプ１３の高速回転から低速回転への切り替えは、予備洗浄で算出した所定量Ｌに高速回転時の使用水量が達したときで、実施の形態１と同じように洗浄ポンプ１３の回転数がパルス的に変化する。なお、すすぎ工程における洗浄ポンプ１３は、洗浄工程と同じように制御する。
【００３７】
以上のように実施の形態４によれば、洗浄工程に入る前に、下かご８と上かご９に載置された食器の種類や数に応じて、洗浄ポンプ１３を高速回転から低速回転に切り替えるための所定量Ｌを決めるようにしたので、洗浄ポンプ１３がエア噛みを起こすこと無く、食器を洗浄（すすぎ）することができるという効果がある。
【００３８】
実施の形態５．
実施の形態４では、下かご８と上かご９に設置された食器の種類や数に応じて第１及び第２の使用水量Ｌ１、Ｌ２を決定し、このＬ１とＬ２に基づいて洗浄ポンプ１３を高速回転から低速回転に切り替えるための所定量Ｌを求るようにしたが、実施の形態５は、食器の設置後に洗浄水の回収率μを求め、この回収率μを実施の形態２に示す式(1)(2)に当てはめて第１及び第２の使用水量Ｌ１、Ｌ２を決定し、このＬ１とＬ２に基づいて前記の所定量Ｌを求めるようにしたものであり、以下、実施の形態５の食器洗浄機について説明をする。なお、本実施の形態５は、制御部２０を除いて実施の形態１とほぼ同じであるため、図１を用いて説明する。
【００３９】
実施の形態５においては、制御部２０によって、前述した演算処理が行われ、洗浄工程に入る前の予備洗浄時に実行される。例えば、洗浄槽７に予備洗浄に必要な水量が蓄えられると、洗浄ポンプ１３をしばらくの間駆動して停止させる。そして、反射型液面センサ１０の液面検出を通して、予め設定された時間Δｔの間に洗浄槽７の底部に回収される水量ΔＸを算出し、その時の水位を反射型液面センサ１０を通して測定する。図６に示すように、その時の水位をｙとしたとき、予め設定された洗浄槽７の断面積Ａとの積から洗浄槽７の底部に残っている洗浄水の水量Ｘを算出する。そして、下記に示す式にそれぞれの値を当てはめて回収率μを算出する。式中のＳは、予備洗浄時に洗浄槽７内に供給された総水量である。
μ = ΔX/(S - X)Δt    …(4)
【００４０】
前記のようにして得られた回収率μを、予め設定された実施の形態２と同じ式(1)(2)に当てはめて、第１及び第２の使用水量Ｌ１、Ｌ２を算出し、この得られた第１及び第２の使用水量Ｌ１、Ｌ２の中間値を算出し、これを、洗浄ポンプ１３を高速回転から低速回転に切り替えるための所定量Ｌとして設定する。なお、実施の形態５においては、前記式(1) 中のW1は、洗浄ポンプ１３を高速回転数Ａ１で回転させたときの洗浄ノズル１４から噴射される単位時間当たりの噴射水量であり、W2は、洗浄ポンプ１３を低速回転数Ａ２で回転させたときの洗浄ノズル１４から噴射される単位時間当たりの噴射水量である。
【００４１】
その後は、排水ポンプ１５を駆動して洗浄槽７内の汚水を排水させ、洗浄工程に入る。洗浄工程における洗浄ポンプ１３の高速回転から低速回転への切り替えは、予備洗浄時で算出した所定量Ｌに高速回転時の使用水量が達したときで、実施の形態１と同じように洗浄ポンプ１３の回転数がパルス的に変化する（図４参照）。なお、すすぎ工程においては、洗浄工程と同じように洗浄ポンプ１３を制御する。
【００４２】
以上のように実施の形態５によれば、洗浄工程に入る前の予備洗浄時に洗浄水の回収率を求め、この結果を基に洗浄ポンプ１３を高速回転から低速回転に切り替えるための所定量Ｌを決定するようにしたので、各種の食器や、数の異なる食器が設置されたとしても、洗浄ポンプにエア噛みを起こさせること無く、節水効果のある食器洗浄機を提供できる。
【００４３】
なお、前記の実施の形態５では、式(4) を用いて回収率μを求めるようにしたが、これに代えて、下記に示す式(5) から回収率μを求めるようにしてもよい。
μ = W/(S - X)    …(5)
式中のW は、洗浄ポンプ１３を定常状態に達するまで所定の回転数で回転させ、この時の洗浄ノズル１４から噴射される単位時間当たり噴射水量、S は、予備洗浄時に洗浄槽７内に供給された総水量、X は、定常状態のときの洗浄槽７内に貯えられている洗浄水の水量である。この場合、この式より得られた回収率を基に洗浄ポンプ１３を高速回転から低速回転に切り替えるための所定量Ｌを決定できるので、前記と同様に、各種の食器や数の異なる食器が設置されたとしても、洗浄ポンプにエア噛みを起こさせること無く、節水効果のある食器洗浄機を提供できる。
【００４４】
また、式(4) 及び式(5) で得られた回収率μから第１及び第２の使用水量Ｌ１、Ｌ２を算出するようにしたが、この回収率μを実施の形態３で述べた式(3) に当てはめて、洗浄工程とすすぎ工程に各工程で必要な総水量Ｓを求めるようにしても良い。
【００４５】
ところで、前述した各実施の形態では、食器洗浄機の構成として、洗浄水を一旦タンク２に貯水して加熱し、その後、洗浄槽７へ給湯する構成として説明したが、これに限るものではなく、洗浄槽７へ直接注水し、洗浄槽７内に設置したヒータ６で湯沸しながら洗浄する食器洗浄機にも適用できることは明白である。また、反射型液面センサ１０は、水位を検知することができる電界センサ等のセンサに置き換えることができる。
【図面の簡単な説明】
【００４６】
【図１】本発明の実施の形態１に係る食器洗浄機を示す概略構成図である。
【図２】高速回転時と低速回転時に洗浄に使用される水量の説明図である。
【図３】洗浄ポンプの回転数と洗浄に使用される水量の相関を示す図である。
【図４】洗浄ポンプの回転数の変化を示す図である。
【図５】実施の形態３における洗浄ポンプの回転数の変化を示す図である。
【図６】洗浄槽に貯えられている洗浄水の水量と水位の関係を示す図である。
【符号の説明】
【００４７】
１  食器洗浄機本体、２  タンク、５  水位センサ、６  ヒータ、７  洗浄槽、８  下かご、９  上かご、１０  反射型液面センサ、１１  給湯ポンプ、１３  洗浄ポンプ、
１３ａ  ケーシング部、１３ｂ  モータ、１４  洗浄ノズル、１４ａ  噴射口、１５  排水ポンプ。
【図１】
0004553871.tif 000002
【図２】
0004553871.tif 000003
【図３】
0004553871.tif 000004
【図４】
0004553871.tif 000005
【図５】
0004553871.tif 000006
【図６】
0004553871.tif 000007